(57)【要約】【課題】過酸化水素を含む殺菌剤のガスを、長期間安定的に得ることができる装置を提供する。【解決手段】殺菌剤をガス化する加熱体の加熱面を、クロムポリテトラフルオロエチレン若しくはペルフルオロアルコキシフッ素樹脂、又はクロムポリテトラフルオロエチレン若しくはペルフルオロアルコキシフッ素樹脂含浸クロムメッキとする。【選択図】図４
2018089064.tif 000002
【特許請求の範囲】
【請求項１】
少なくとも過酸化水素及び安定剤を含む殺菌剤を加熱面に接触させて、殺菌剤をガス化させる装置であって、
前記加熱面がポリテトラフルオロエチレン若しくはペルフルオロアルコキシフッ素樹脂、又はポリテトラフルオロエチレン若しくはペルフルオロアルコキシフッ素樹脂含浸クロムメッキからなることを特徴とする殺菌剤のガス化装置。
【請求項２】
請求項１に記載の殺菌剤のガス化装置において、
前記加熱面に殺菌剤を噴霧する殺菌剤供給部と前記加熱面が円筒状である殺菌剤気化部を備えることを特徴とする殺菌剤のガス化装置。
【請求項３】
請求項２に記載の殺菌剤のガス化装置において、
前記殺菌剤供給部が二流体スプレを備えることを特徴とする殺菌剤のガス化装置。
【請求項４】
請求項２又は請求項３に記載の殺菌剤のガス化装置において、
前記殺菌剤気化部の端部に加熱エアを導入する加熱エア供給装置を備えることを特徴とする殺菌剤のガス化装置。
【請求項５】
請求項２乃至請求項４に記載のいずれかの殺菌剤のガス化装置において、
前記殺菌剤気化部の端部にフィルタを備えることを特徴とする殺菌剤のガス化装置。
【発明の詳細な説明】
【技術分野】
【０００１】
本発明は、無菌充填包装機において包装材料の殺菌に使用される、殺菌剤のガスを生成する殺菌剤のガス化装置に関する。
【背景技術】
【０００２】
ポーションミルク、ブリック型液体紙容器入り飲料、パウチ入りスープ、カップ入り飲料、ＰＥＴボトル入り飲料等、無菌充填包装機により様々な容器に、食品や飲料が充填されて流通している。無菌充填包装機とは、無菌雰囲気で殺菌した容器に殺菌した内容物を充填して密封する装置である。無菌充填包装機により生産された製品は、流通や保管を常温で行うことができるため、冷蔵、冷凍製品よりもエネルギー消費が少なく、味覚も良いことから増加傾向にある。
【０００３】
無菌充填包装機において、容器となる包装材料は前述の通り様々であり、包装材料によりその殺菌方法も異なる。紫外線や電子線を照射する方法もあるが、殺菌剤により、包装材料の表面を殺菌する方法が主流である。さらに殺菌剤を使用して包装材料を殺菌する場合、ポーションミルクやブリック型紙容器は殺菌剤に浸漬して殺菌するが、殺菌剤を噴霧する方法もある。フラットで浸漬後の比較的高温の乾燥温度に支障ない包装材料は、浸漬して殺菌される。カップやボトルのような成形容器や高温乾燥で伸びてしまうフィルムのような包装材料は殺菌剤の噴霧により殺菌される。
【０００４】
噴霧する殺菌剤の液滴が大きいとカップやボトルの側面で垂れたりする。噴霧する殺菌剤の液滴は小さいほど包装材料の表面に均一に塗布され、殺菌効果も高い。そこで。殺菌剤の液滴を細粒化する方法が提案されている（特許文献１）。
【０００５】
包装材料の表面に付着する殺菌剤の液滴が小さく、包装材料の表面が殺菌剤の液滴により密に被覆されているほど、殺菌効果は高い。そのため、殺菌剤の液滴を噴霧するのではなく、殺菌剤をガス化させ、ガス化した殺菌剤を包装材料の表面に吹き付けて、殺菌剤を包装材料の表面で凝縮させる方法が提案されている（特許文献２）。ここで、殺菌剤のガス化は、殺菌剤を加熱された発熱体に滴下して行っている。
【０００６】
さらに、加熱された管内に殺菌剤を噴霧することにより、殺菌剤のガス化を多量に効率的に行う方法も提案されている（特許文献３）。また、加熱された管内に蓄熱体を設ける方法も提案されている（特許文献４）。
【０００７】
殺菌剤は過酸化水素水が使用されるが、過酸化水素水中に含まれる微量の重金属により過酸化水素は分解する。これを防止するために、無菌充填包装機において殺菌に使用される過酸化水素水には、安定剤として安全性及び有効性が確認されているピロリン酸ソーダやオルトリン酸が添加されている（特許文献５）。このような安定剤は、過酸化水素水がガス化される際に析出し、ガス化させる加熱体の表面に堆積して過酸化水素水をガス化させる効率を低下させたり、過酸化水素水のガスを被殺菌物に吹き付けるノズルを閉塞させたりすることがある。このような安定剤の析出による弊害を防止するために、過酸化水素水を一旦ガス化し、このガスを冷却してフィルターを通し、液化した過酸化水素水をさらにガス化する方法が提案されている（特許文献６）
【先行技術文献】
【特許文献】
【０００８】
【特許文献１】特開昭６０−２２００６７号公報
【特許文献２】特開昭６３−１１１６３号公報
【特許文献３】特開平３−２２４４６９号公報
【特許文献４】特開平１０−２１８１３４号公報
【特許文献５】特開２００６−２４０９６９号公報
【特許文献６】特開平１０−２５８８１１号公報
【発明の概要】
【発明が解決しようとする課題】
【０００９】
無菌充填包装機において包装材料を殺菌するため、ガス化された過酸化水素水が多用されている。過酸化水素水をガス化させる方法は、過酸化水素水を発熱体に接触させることによる。しかし、長時間過酸化水素水のガス化を行うと、過酸化水素水に添加されている安定剤が、過酸化水素水のガス化に際して析出し、発熱体に堆積することがある。堆積した安定剤は、発熱体の最表面への熱伝導を妨げ、過酸化水素水のガス化効率を低下させる。これを解消するために、定期的に殺菌剤のガス化装置を分解して清掃しなければならず、生産性を阻害している。
【００１０】
このような安定剤の析出による弊害を未然に防止するために、特許文献６の方法が提案されているが、過酸化水素水を２回ガス化しなければならず、２回目のガス化の際には既に安定剤を含有していないために、過酸化水素の分解が進みガス中の過酸化水素濃度が低下し、結果として殺菌効果が低下する。また、２回ガス化するために、エネルギー消費が多くなる。
【００１１】
本発明は上記の課題を解決するためになされたものであって、長期間安定的に、殺菌成分である過酸化水素を高濃度で含有する殺菌剤のガスを生成することができる殺菌剤のガス化装置を提供することを目的とする。
【課題を解決するための手段】
【００１２】
本発明に係る殺菌剤のガス化装置は、少なくとも過酸化水素及び安定剤を含む殺菌剤を加熱面に接触させて、殺菌剤をガス化させる装置であって、前記加熱面がポリテトラフルオロエチレン若しくはペルフルオロアルコキシフッ素樹脂、又はポリテトラフルオロエチレン若しくはペルフルオロアルコキシフッ素樹脂含浸クロムメッキからなることを特徴とする。
【００１３】
また、本発明に係る殺菌剤のガス化装置は、前記加熱面に殺菌剤を噴霧する殺菌剤供給部と前記加熱面が円筒状である殺菌剤気化部を備えると好適である。
【００１４】
また、本発明に係る殺菌剤のガス化装置は、前記殺菌剤供給部が二流体スプレを備えると好適である。
【００１５】
また、本発明に係る殺菌剤のガス化装置は、前記殺菌剤気化部の端部に加熱エアを導入する加熱エア供給装置を備えると好適である。
【００１６】
また、本発明に係る殺菌剤のガス化装置は、前記殺菌剤気化部の端部にフィルタを備えると好適である。
【発明の効果】
【００１７】
本発明によれば、紙やプラスチック等を素材とするボトルやカップ等の包装材料に、飲料や乳製品等を充填する無菌充填包装機において、包装材料の殺菌に使用される、少なくとも過酸化水素を含む殺菌剤のガスを、長期間安定的に効率良く生成することができる。また、その結果として、無菌充填包装機における包装材料の殺菌力を長期間保持させることができる。
【図面の簡単な説明】
【００１８】
【図１】本発明に係る殺菌剤のガス化装置の実施の形態１を示す側面図である。
【図２】本発明に係る殺菌剤のガス化装置の実施の形態２を示す側面図である。
【図３】本発明に係る殺菌剤のガス化装置の実施の形態３を示す側面図である。
【図４】本発明に係る殺菌剤のガス化装置の実施の形態４を示す側面図である。
【図５】本発明に係る殺菌剤のガス化装置に組み込む加熱エア供給装置を示す。
【図６】本発明に係る殺菌剤のガス化装置の吹き出し口にフィルタを備える殺菌剤のガスと加熱エアとの混合装置を示す。
【図７】本発明に係る殺菌剤のガス化装置により生成する殺菌剤のガスをプリフォームに吹き付ける工程を示す。
【図８】本発明に係る殺菌剤のガス化装置により生成する殺菌剤のガスをボトルに吹き付ける工程を示す。
【図９】本発明に係る殺菌剤のガス化装置により生成する殺菌剤のガスを紙容器に吹き付ける工程を示す。
【発明を実施するための形態】
【００１９】
以下に本発明を実施するための形態について図面を参照して説明する。
【００２０】
（実施の形態１）
図１に本発明に係る殺菌剤のガス化装置１の実施の形態１を示す。殺菌剤のガス化装置１は殺菌剤供給部２、殺菌剤気化部３及び加熱エア供給装置１２を備える。殺菌剤供給部２は殺菌剤４を貯留するタンク５、殺菌剤４を殺菌剤気化部３に滴下する滴下装置７及び当該滴下装置７に殺菌剤４を供給するポンプ６を備える。さらに、殺菌剤気化部３はその内部に滴下された殺菌剤４をガス化させる加熱体８を備える。また、加熱エア供給装置１２はエアを送るブロワ１０及びブロワ１０によるエアを加熱する加熱装置１１を備える。
【００２１】
殺菌剤４が滴下され、殺菌剤４がガス化する加熱体８の加熱面９はポリテトラフルオロエチレン若しくはペルフルオロアルコキシフッ素樹脂、又はポリテトラフルオロエチレン若しくはペルフルオロアルコキシフッ素樹脂含浸クロムメッキである。加熱体８の材質としては、鉄、ステンレス、銅合金、アルミニウム、アルミニウム合金、亜鉛、タングステン等の金属が使用される。加熱体８の表面にポリテトラフルオロエチレン若しくはペルフルオロアルコキシフッ素樹脂をコーティングするか、又はポリテトラフルオロエチレン若しくはペルフルオロアルコキシフッ素樹脂含浸クロムをメッキして、加熱面９とする。
【００２２】
ポリテトラフルオロエチレン若しくはペルフルオロアルコキシフッ素樹脂は非付着性を有する。加熱面９をポリテトラフルオロエチレン若しくはペルフルオロアルコキシフッ素樹脂、又はポリテトラフルオロエチレン若しくはペルフルオロアルコキシフッ素樹脂含浸クロムメッキとすることで、加熱面９が有する非付着性により、殺菌剤４が加熱面９に接触して殺菌剤４がガス化する際に析出する安定剤が、加熱面９に付着することを防止できる。そのため、析出する安定剤が加熱面９に堆積することを防ぐことができる。その結果、長期に渡って殺菌剤のガス化装置１を運転しても、殺菌剤４のガスに含まれる過酸化水素の濃度が低下することはない。
【００２３】
ポリテトラフルオロエチレンはテトラフルオロエチレンをモノマーとした重合体であり、融点が略３２５℃である。また、ペルフルオロアルコキシフッ素樹脂はテトラフルオロエチレンとペルフルオロエーテルの共重合体であり、融点は略３１０℃である。これらは、接着力を高めるために加熱体８の表面を脱脂処理、ブラスト処理又はセラミック粒子を高圧で吹き付ける等の表面処理を行った後に、加熱体８の表面に静電粉体コーティング等の方法によりコーティングされる。さらに、ポリテトラフルオロエチレン若しくはペルフルオロアルコキシフッ素樹脂がコーティングされた加熱体８を４００℃程度の温度で焼き付けることにより加熱面９が形成される。コーティング及び焼き付けを２回以上行っても構わない。ポリテトラフルオロエチレン若しくはペルフルオロアルコキシフッ素樹脂の厚さは１００μｍ〜１０００μｍが望ましい。１００μｍ未満ではピンホールが発生するおそれがあり、１０００μｍを超えると加熱体８からの熱伝導が阻害される。
【００２４】
ポリテトラフルオロエチレン若しくはペルフルオロアルコキシフッ素樹脂含浸クロムを加熱体８にメッキするには、メッキ液中にポリテトラフルオロエチレン若しくはペルフルオロアルコキシフッ素樹脂の粒子をメッキ液中に分散させることによる。ポリテトラフルオロエチレン若しくはペルフルオロアルコキシフッ素樹脂の粒子径は、メッキの厚さよりも大きいと表面に露出して脱落するおそれがあるため、通常１μｍ〜５μｍ程度である。メッキ液中に分散させる量は、メッキ中の体積分率として１５％〜６０％、好ましくは２５％〜４０％程度とする。１５％未満では非付着性が低く、６０％を超えるとメッキ皮膜と加熱体８との密着性が劣る。
【００２５】
加熱体８の表面にポリテトラフルオロエチレン若しくはペルフルオロアルコキシフッ素樹脂含浸クロムをメッキする場合、メッキの厚さは１μｍ〜１００μｍが適当である。またメッキする前に被メッキ材に銅やニッケル等のメッキを施しても構わない。また、メッキしたクロムの表面を研磨して平滑性を高めても構わない。
【００２６】
殺菌剤４は少なくとも過酸化水素を含んでいる。その含有量は０．５質量％〜６５質量％の範囲が適当である。０．５質量％未満では殺菌力が不足する場合があり、６５質量％を超えると安全上、扱いが困難となる。また、さらに好適なのは０．５質量％〜４０質量％であり、４０質量％以下では扱いがより容易であり、低濃度となるために殺菌後の包装材料への過酸化水素の残留量を低減できる。
【００２７】
また、殺菌剤４は過酸化水素の分解を防止するために安定剤を含んでいる。殺菌剤４に含まれる安定剤は、食品向けの包装材料を殺菌するために厚生労働大臣により食品用の指定添加物として使用されているピロリン酸ナトリウムやオルトリン酸を使用することが好ましい。しかし、ピロリン酸水素ナトリウム等のリン含有無機化合物、アミノトリメチルホスホン酸アルキリデンジホスホン酸塩等のホスホン酸キレート剤等を使用しても構わない。安定剤の含有量は通常４０ｐｐｍ以下である。、
【００２８】
また、殺菌剤４は水を含んでなるが、メチルアルコール、エチルアルコール、イソプロピルアルコール、ノルマルプロピルアルコール、ブチルアルコールなどのアルコール類、アセトン、メチルエチルケトン、アセチルアセトンなどのケトン類、グリコールエーテル等の１種又は２種以上を含んでもかまわない。
【００２９】
さらに、殺菌剤４は過酢酸、酢酸、塩素化合物、オゾン等の殺菌効果を有する化合物、陽イオン界面活性剤、非イオン系界面活性剤等の添加剤を含んでも構わない。
【００３０】
タンク５に貯留された殺菌剤４は、ポンプ６により滴下装置７に供給されるが、供給量は任意であり、必要とされる殺菌剤のガスの量に合わせて供給される。１台で供給すべき殺菌剤のガスが不足する場合は、複数台を使用する。滴下装置７による滴下量も必要な殺菌剤のガスの量に合わせるが、加熱面９で生成するガスの量は、加熱体８の温度と熱容量により決定される。
【００３１】
殺菌剤４をガス化する加熱体８の加熱面９の温度は１３０℃から２６０℃に設定される。１３０℃未満ではガス化が困難であり、２６０℃を超えるとポリテトラフルオロエチレン若しくはペルフルオロアルコキシフッ素樹脂が分解するおそれがある。また、加熱体８の加熱面９は、平面であって、水平でも傾斜を設けても構わないし、凹面や凸面のような曲面であっても構わない。殺菌剤４が加熱体８の加熱面９に接触してガス化することができるのであればどのような形状でも構わない。加熱体８の大きさや厚さも任意である。体積が大きくなれば熱容量が大きくなり、殺菌剤４のガス化には有利であるが、殺菌剤のガス化装置１が過大となる。
【００３２】
加熱体８を加熱する方法は、加熱体８に電流を通じて加熱体８自体を発熱させる、ヒータを埋め込んだり、ヒータと接触させることで加熱する、又は誘電加熱装置により加熱する等、所望の温度に加熱することができれば、どのような方法でも構わない。
【００３３】
殺菌剤気化部３で生成された殺菌剤４のガスは、加熱エア供給装置１２から送られる加熱エアにより吹き出し口１３から排出され、ボトル等の包装材料の殺菌に使用される。加熱エアの供給量は任意であり、供給量が多量となると殺菌剤４のガスに含まれる過酸化水素の濃度が低くなり、殺菌力が劣る場合がある。また、加熱エアの温度は１３０℃から２６０℃に設定される。１３０℃未満ではガス化した殺菌剤４が、殺菌に使用される以前に液化して、被殺菌物の表面を被覆する面積が小さくなり、殺菌効果が低下するおそれがある。被殺菌物に殺菌剤４のガスが接触して、微細なミストを形成することが望ましく、加熱エアの温度はこれに適した設定とする。また、加熱エアの温度を上げると、被殺菌物によっては変形することもあるため、被殺菌物により加熱エアの温度は変動する。さらに、２６０℃を超えるとポリテトラフルオロエチレン若しくはペルフルオロアルコキシフッ素樹脂が分解するおそれがある。
【００３４】
（実施の形態２）
図２に本発明に係る殺菌剤のガス化装置１の実施の形態２を示す。殺菌剤のガス化装置１は殺菌剤供給部２及び殺菌剤気化部３を備える。殺菌剤供給部２は噴霧装置１４を備え、噴霧装置１４により殺菌剤気化部３に殺菌剤４が供給される。また、殺菌剤気化部３はその内面が加熱体８となっている。
【００３５】
噴霧装置１４には殺菌剤供給口１５から殺菌剤４が供給され、圧縮エア供給口１６から圧縮エアが供給される。噴霧装置１４は二流体スプレであり、噴霧ノズル１７から殺菌剤４はミストとなって殺菌剤気化部３の内面に噴霧される。噴霧された殺菌剤４は加熱体８の加熱面９に接触してガス化する。生成した殺菌剤４のガスは圧縮エアの圧力により吹き出し口１３から排出される。
【００３６】
殺菌剤４のガスの吹き出し口１３の口径は任意に設定することができ、２ｍｍφ〜２００ｍｍφとすることができる。口径を小さくすることで、生成された殺菌剤４のガスの吹き出し圧力を高めることができる。吹き出し圧力を調整することにより殺菌剤のガス若しくは凝結により生成するミスト又はこれらの混合物の被殺菌物表面への吹き付け強さを調整できる。例えば被殺菌物が深いカップの場合は強く吹き付け、浅い容器の場合は弱く吹き付けるようにできる。また、吹き出し口１３が長い場合、殺菌剤４のガスが冷却されて凝結する可能性があるため、吹き出し口１３の周囲を加熱しても構わない。
【００３７】
殺菌剤４及び加熱体８及び加熱面９の材質等は実施の形態１と同様である。実施の形態１と異なる点は殺菌剤気化部３への殺菌剤の供給がミスト噴霧によること、加熱体８が殺菌剤気化部３の内面を構成すること、及び加熱エア供給装置１２を備えていないことである。
【００３８】
殺菌剤気化部３の内面は加熱体８であるが、その外面は加熱体８を加熱するヒータ１８が設けられ、さらにその外面には断熱性付与とヒータ１８を保護するために外装１９が設けられる。図２はヒータ１８により加熱体８を加熱することを示しているが、加熱方法は実施の形態１と同様に、どのような加熱方法であっても構わない。
【００３９】
噴霧装置１４の運転条件としては、例えば圧縮空気の圧力は０．０５ＭＰａ〜０．６ＭＰａの範囲で調整される。また、殺菌剤４は重力落下であってもポンプ６を備えて圧力を加えても構わないし、殺菌剤４の供給量は自由に設定することができ、例えば１ｇ／ｍｉｎ．〜１００ｇ／ｍｉｎ．の範囲で供給する。
【００４０】
（実施の形態３）
図３は本発明に係る殺菌剤のガス化装置１の実施の形態３を示す。実施の形態２と異なる点は、殺菌剤気化部３の内面に設けた加熱体８とは別に、殺菌剤気化部３の内部に棒状加熱体２０を設けたことである。棒状加熱体２０を設けることにより、殺菌剤のガス化装置１のガス化能力は高まり、殺菌剤４のガス化量を増やすことができる。
【００４１】
棒状加熱体２０の加熱面２０ａはポリテトラフルオロエチレン若しくはペルフルオロアルコキシフッ素樹脂、又はポリテトラフルオロエチレン若しくはペルフルオロアルコキシフッ素樹脂含浸クロムメッキである。この点は実施の形態１と同様である。また、棒状加熱体２０の加熱には、棒状加熱体２０の内部にヒータを埋め込んでも、加熱媒体を還流させても構わない。また、加熱体８と同様に１３０℃から２６０℃に加熱される。さらに、棒状加熱体２０の形状は棒状、面状、コイル状等どのような形状であっても構わない。
【００４２】
（実施の形態４）
図４は本発明に係る殺菌剤のガス化装置１の実施の形態４を示す。実施の形態４は実施の形態１乃至３よりも殺菌剤４のガス化をさらに効率良く行うことができる形態である。殺菌剤供給部２に備える噴霧装置１４は実施の形態２又は３と同様の二流体スプレである。図示しない殺菌剤４のタンクから殺菌剤４を殺菌剤供給口１５に供給し、圧縮エアを圧縮エア供給口１６に供給し、エクステンションパイプ２２を経て、噴霧ノズル１７から殺菌剤４が殺菌剤気化部３内に噴霧される。殺菌剤４は実施の形態１と同様のものが使用される。また、噴霧装置１４の運転条件は実施の形態２と同様である。エクステンションパイプ２２は、殺菌剤気化部３の熱が、殺菌剤気化部３の上部を閉塞しているプラグ２１を経て、噴霧装置１４に伝導し、噴霧装置１４の本体の温度が上昇しないように設けられている。
【００４３】
殺菌剤気化部３は内面に加熱体８を備え、その外側に加熱体８を加熱するヒータ１８を備え、さらにその外側に断熱のため、及びヒータ１８を保護するために外装１９が設けられる。図４はヒータ１８により加熱体８を加熱することを示しているが、加熱方法は実施の形態１と同様に、どのような加熱方法であっても構わない。加熱体８は１３０℃から２６０℃の温度に加熱され、噴霧ノズル１７から噴霧される殺菌剤４が加熱面９に接触することで、殺菌剤４はガス化される。噴霧装置１４の運転条件は実施の形態２と同様である。
【００４４】
加熱体８の加熱面９はポリテトラフルオロエチレン若しくはペルフルオロアルコキシフ樹素樹脂、又はポリテトラフルオロエチレン若しくはペルフルオロアルコキシフッ素樹脂含浸クロムメッキである。加熱面９の形成方法は実施の形態１と同様である。
【００４５】
加熱体８は噴霧ノズル１７から噴霧される殺菌剤４が円形に噴霧されることから、円筒状が望ましい。しかし、多角筒状でも構わない。円筒の径は、殺菌剤４の噴霧に使用される圧縮エアにより殺菌剤気化部３の内圧が高くならないように、十分な大きさが必要である。しかし、噴霧された殺菌剤４のミストが、加熱面９に接触できるような径でなければならない。さらに、円筒の長さもこの条件を満たすように設計される。
【００４６】
加熱体８の加熱面９に接触することでガス化された殺菌剤４は、圧縮エアの圧力により吹き出し口１３より排出される。吹き出し口１３を被殺菌物に対向させて、排出される殺菌剤４のガスを被殺菌物である包装材料に直接吹き付けることもできるが、図５に示すように、殺菌剤気化部３の端部に加熱エアを導入する加熱エア供給装置１２を備え、吹き出し口１３から排出される殺菌剤４のガスと、加熱エア供給装置１２より供給される加熱エアとを、導管２３において混合して吹き付けても構わない。
【００４７】
図５に示すように、殺菌剤気化部３でガス化され、吹き出し口１３から排出された殺菌剤４のガスに、ブロワ１０によるエアを加熱装置１１により加熱された加熱エアを導管２３において混合し、殺菌剤ガス吹き出し口２４から殺菌剤４のガスを被殺菌物に吹き付けても構わない。殺菌剤気化部３は１台ではなく、複数台を導管２３に結合させても構わない。また、殺菌剤ガス吹き出し口２４の数は任意に設定される。加熱装置１１によりエアは１３０℃から３００℃に加熱される。加熱エアの温度は実施の形態１と同様に被殺菌物により制約を受ける。加熱面９に加熱エアは触れないことから、ポリテトラフルオロエチレン若しくはペルフルオロアルコキシフッ素樹脂の分解を考慮する必要はない。
【００４８】
また、図６のように、殺菌剤気化部３の端部の吹き出し口１３にフィルタ２９を設け、析出した安定剤を捕捉することが望ましい。安定剤は衛生上問題ないものを使用しているが、殺菌剤ガス吹き出し口２４までの導管２３の内部に付着して導管２３を閉塞させるおそれがあるからである。フィルタ２９は、例えば平均細口径０．１μｍ〜２０μｍのアルミナ、酸化ジルコニウム、酸化チタン等のセラミックフィルタや、無機物、セルロース等からなる不織布のように２６０℃までの耐熱性を有し、析出した安定剤を捕捉できるものであればどのようなものでも構わない。
【００４９】
殺菌剤ガス吹き出し口２４から吹き出される殺菌剤４のガスは、図６に示すように、プリフォーム２５に吹き付けられる。プリフォーム２５の内外面に殺菌剤４のガス若しくはミスト又はこれらの混合物が接触又は付着することにより、プリフォーム２５の表面に付着した菌等が殺菌される。
【００５０】
また、殺菌剤ガス吹き出し口２４から吹き出される殺菌剤４のガスは、図７に示すように、ボトル２６に吹き付けられる。ボトル２６の内外面に殺菌剤４のガス若しくはミスト又はこれらの混合物が接触又は付着することにより、ボトル２６の表面に付着した菌等が殺菌される。
【００５１】
さらに、殺菌剤ガス吹き出し口２４から吹き出される殺菌剤４のガスは、図８に示すように、底部を閉塞されたゲーベルトップ形状の紙容器２７に吹き付けられる。紙容器２７の内外面に殺菌剤４のガス若しくはミスト又はこれらの混合物が接触又は付着することにより、紙容器２７の表面に付着した菌等が殺菌される。紙容器２７のように開口部が広い場合は、殺菌剤ガス吹き出し口２４を囲繞する傘状部材２８を設け、紙容器内部から溢れ出る殺菌剤４のガス若しくはミスト又はこれらの混合物を傘状部材２８に衝突させて紙容器２７の外部に流すことで、紙容器２７の外面を効率的に殺菌することができる。傘状部材２８はプリフォーム２５やボトル２６の場合も設けることができる。また、被殺菌物は他にフィルム、シート、トレー、カップ等どのような形状でも構わない。
【実施例】
【００５２】
以下、本発明を実施例により説明する。
【００５３】
（操作方法）
図４の実施の形態４に示す殺菌剤のガス化装置１を用いた。殺菌剤気化部３の内面の加熱体８をＳＵＳ３１６とし、この加熱体８にポリテトラフルオロエチレン１００μｍをコーティングして加熱面９を形成した。この場合を実施例１とした。また、加熱体８をＳＵＳ３１６として、これに、ポリテトラフルオロエチレンの体積率が２５％である厚さ５０μｍのクロムメッキ施し、実施例２とした。また、加熱面９をＳＵＳ３１６とした場合を比較例１、ＳＵＳ３１６Ｌとした場合を比較例２、真鍮とした場合を比較例３とした。いずれも加熱体８を２３０℃に加熱した。
【００５４】
噴霧装置１４の殺菌剤供給口１５に、殺菌剤４として３５質量％の過酸化水素及び安定剤を含有する過酸化水素水を、２．５ｇ／ｍｉｎ．供給した。また、圧縮エア供給口１６には０．１５ＭＰａの圧縮エアを供給した。ここで、噴霧装置１４は二流体スプレを使用した。殺菌剤のガス化装置１を上記の条件で５００時間運転し、その後、以下の測定をおこなった。
【００５５】
（測定方法）
吹き出し口１３における過酸化水素濃度をＡＴＩ社製ポータブルガス検知器により測定した。また、吹き出し口１３において、吹き出されたガスを冷却して過酸化水素水として回収した。このとき、全量回収されず、一部揮散したが、回収した加酸化水素水の過酸化水素濃度を測定した。
【００５６】
（殺菌効果測定）
さらに、５００ｍｌ容量のＰＥＴボトルに成形される２０ｇの重量のプリフォーム２５の内面の中間部に１０4個、１０5個、１０6個のＢ．ａｔｒｏｐｈａｅｕｓ  ＡＴＣＣ９３７２芽胞を付着させた後に、自然乾燥させた。この菌付プリフォーム２５の内面に、吹き出し口１３から過酸化水素水のガスを吹き付けた。さらに、１００℃の無菌加熱エアを当該プリフォーム２５に吹き付け、その後、内面を拭き取り、寒天培地に移植し、３７℃で１週間培養し、生残存菌数を測定した。結果は、殺菌効果（ＬＲＶ）＝ｌｏｇ（付着菌数）／（生残存菌数）で表した。
【００５７】
（実施例及び比較例の結果）
表１に、実施例及び比較例の、生成ガスの過酸化水素濃度、回収過酸化水素水の過酸化水素濃度及び殺菌効果をに示す。また、加熱面９への安定剤の付着を確認した。
【００５８】
【表１】
2018089064.tif 000003
【００５９】
上記の実施例によれば、殺菌剤のガス化装置１において、加熱面９の材質をポリテトラフルオロエチレン、又はポリテトラフルオロエチレン含浸クロムメッキとすることで、これまで使用されていたステンレスであるＳＵＳ３１６やＳＵＳ３１６Ｌ又は真鍮よりも、長時間運転後に安定剤が加熱面９に付着せず、過酸化水素水をガス化する際のガス中の過酸化水素の濃度を高めることができ、殺菌効果も高いという結果が得られた。
【００６０】
本発明は以上説明したように構成されるが、上記実施の形態に限定されるものではなく、本発明の要旨内において種々変更可能である。
【符号の説明】
【００６１】
１…殺菌剤のガス化装置
２…殺菌剤供給部
３…殺菌剤気化部
８…加熱体
９…加熱面
１２…加熱エア供給装置
１４…噴霧装置
２９…フィルタ
【図１】
2018089064.tif 000004
【図２】
2018089064.tif 000005
【図３】
2018089064.tif 000006
【図４】
2018089064.tif 000007
【図５】
2018089064.tif 000008
【図６】
2018089064.tif 000009
【図７】
2018089064.tif 000010
【図８】
2018089064.tif 000011
【図９】
2018089064.tif 000012
【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
少なくとも過酸化水素及び安定剤を含む殺菌剤を加熱面に接触させて、殺菌剤をガス化させる装置であって、
前記加熱面が、殺菌剤をガス化させる際に析出する安定剤の加熱面への付着を防止するポリテトラフルオロエチレン若しくはペルフルオロアルコキシフッ素樹脂、又はポリテトラフルオロエチレン若しくはペルフルオロアルコキシフッ素樹脂含浸クロムメッキからなることを特徴とする殺菌剤のガス化装置。
【請求項２】
請求項１に記載の殺菌剤のガス化装置において、
前記加熱面に殺菌剤を噴霧する殺菌剤供給部と前記加熱面が円筒状である殺菌剤気化部を備えることを特徴とする殺菌剤のガス化装置。
【請求項３】
請求項２に記載の殺菌剤のガス化装置において、
前記殺菌剤供給部が二流体スプレを備えることを特徴とする殺菌剤のガス化装置。
【請求項４】
請求項２又は請求項３に記載の殺菌剤のガス化装置において、
前記殺菌剤気化部の端部に加熱エアを導入する加熱エア供給装置を備えることを特徴とする殺菌剤のガス化装置。
【請求項５】
請求項２乃至請求項４に記載のいずれかの殺菌剤のガス化装置において、
前記殺菌剤気化部の端部にフィルタを備えることを特徴とする殺菌剤のガス化装置。
【手続補正２】
【補正対象書類名】明細書
【補正対象項目名】００１２
【補正方法】変更
【補正の内容】
【００１２】
本発明に係る殺菌剤のガス化装置は、少なくとも過酸化水素及び安定剤を含む殺菌剤を加熱面に接触させて、殺菌剤をガス化させる装置であって、前記加熱面が、殺菌剤をガス化させる際に析出する安定剤の加熱面への付着を防止するポリテトラフルオロエチレン若しくはペルフルオロアルコキシフッ素樹脂、又はポリテトラフルオロエチレン若しくはペルフルオロアルコキシフッ素樹脂含浸クロムメッキからなることを特徴とする。